(57)【特許請求の範囲】
【請求項１】
液吸収性の吸収層及び液不透過性の防漏層を具備し、実質的に縦長の吸収性物品を包装材と一体に折り込んで個装してなる吸収性物品の個装構造において、
前記吸収層には、該吸収性物品の長手方向に向けて形成された複数の側方防漏溝及び各側方防漏溝を連結するように吸収性物品の幅方向に向けて形成された連結防漏溝が設けられ、且つ該吸収性物品の左右両側部に、弾性部材を有する防漏壁が設けられており、
前記吸収性物品と前記包装材とは、前記弾性部材による伸縮力がない部位における所定の２箇所以上を折曲部として折り込まれており、該折曲部の少なくとも一つは前記連結防漏溝と重なるように位置づけられている吸収性物品の個装構造。
【請求項２】
前記吸収性物品の中央領域に嵩高部が形成されており、
少なくとも１箇所の前記折曲部が、前記嵩高部を横切るように設けられている請求項１記載の吸収性物品の個装構造。
【請求項３】
前記嵩高部の厚さが３mm以上である請求項２記載の吸収性物品の個装構造。
【発明の詳細な説明】
【０００１】
【発明の属する技術分野】
本発明は、吸収性物品の漏れ防止性能等を低下させることがない、吸収性物品の個装構造に関する。
【０００２】
【従来の技術及び発明が解決しようとする課題】
生理用ナプキン等の吸収性物品としては、防漏性をより向上させる目的で、長手方向左右両側部に弾性部材を有する防漏壁を設けたものが提案されている。
しかし、このように防漏性を向上させた吸収性物品は、通常、個別に包装材で個装されて市販等されているが、従来の個装構造では、個装構造から取り出した際に防漏壁がよれてしまい、その機能を十分に発揮できず、吸収性物品の防漏性が低下してしまうことがあった。
【０００３】
従って、本発明の目的は、個装構造から取り出した際に吸収性物品の防漏性が低下することがない吸収性物品の個装構造を提供することにある。
【０００４】
【課題を解決するための手段】
本発明は、液吸収性の吸収層及び液不透過性の防漏層を具備し、実質的に縦長の吸収性物品を包装材と一体に折り込んで個装してなる吸収性物品の個装構造において、前記吸収層には、該吸収性物品の長手方向に向けて形成された複数の側方防漏溝及び各側方防漏溝を連結するように吸収性物品の幅方向に向けて形成された連結防漏溝が設けられ、且つ該吸収性物品の左右両側部に、弾性部材を有する防漏壁が設けられており、前記吸収性物品と前記包装材とは、前記弾性部材による伸縮力がない部位における所定の２箇所以上を折曲部として折り込まれており、該折曲部の少なくとも一つは前記連結防漏溝と重なるように位置づけられている吸収性物品の個装構造を提供することにより、前記目的を達成したものである。
【０００５】
【発明の実施の形態】
以下、本発明の好ましい１実施形態について説明する。
本実施形態の吸収性物品の個装構造としての生理用ナプキンの個装構造１は、図１〜４に示すように、液吸収性の吸収層２１及び液不透過性の防漏層２４を具備し、実質的に縦長の生理用ナプキン２を包装材３と一体に折り込んで個装してなる。
【０００６】
本実施形態の生理用ナプキン２は、図２及び３に示すように、吸収層２１が液透過性の表面シート２２と液保持性の吸収体（図示せず）とからなる。
また、吸収体は、防漏層２４側に位置する第１吸収体（図示せず）と、第１吸収体よりも肌当接面側に載置された、第１吸収体より小さく細長形状の第２吸収体（図示せず）とからなる。第１吸収体及び第２吸収体は、それぞれパルプ集合体（図示せず）を台紙（図示せず）で包んで形成されている。
また、表面シート２２は、その左右両側が、第１吸収体の裏面側に巻き込まれている（図示せず）。
また、防漏層２４は、液不透過性の防漏シート（図示せず）と、防漏シートの左右両側上に積層された肌当接用シート（図示せず）とからなる。
【０００７】
また、本実施形態の生理用ナプキン２は、防漏層２４を幅方向外方に延出させて形成された左右一対のフラップ２５が前方部側に偏寄されている。また、フラップ２５の裏面側及び吸収層２１が配されている防漏層２４の裏面側には、粘着剤が塗布されて、ズレ止め部２６が形成されている。
【０００８】
包装材３は、剥離処理してあり、長方形状であり、図３に示すように、フラップ２５を吸収層２１上に折り込んだ生理用ナプキン２を載置した場合に、生理用ナプキン２の外周縁から外方に包装材２が延出される程度の大きさである。また、包装材３の前端縁部３１には、ファスニングテープ３４が配されており、後端縁部３２の外面には、フラップ２５のズレ止め部２６に当接される剥離紙３５が配置されている。
【０００９】
而して、本実施形態の生理用ナプキン２の個装構造１において、図２〜４に示すように、吸収層２１には、生理用ナプキン２の長手方向に向けて形成された複数の側方防漏溝２７ａ及び各側方防漏溝２７ａを連結するように生理用ナプキン２の幅方向に向けて形成された連結防漏溝２７ｂが設けられ、且つ生理用ナプキン２の左右両側部に、弾性部材２８ａを有する防漏壁２８が設けられており、生理用ナプキン２と包装材３とは、弾性部材２８ａによる伸縮力がない部位における３箇所を折曲部４として折り込まれており、折曲部４の２つは連結防漏溝２７ｂと重なるように位置づけられている。
【００１０】
更に詳述すると、防漏壁２８は、吸収層２１の左右両側縁の裏面側より別材の防漏性の不織布を延出し、該不織布を一旦生理用ナプキン２の内方に向けて折り込み、更に生理用ナプキン２の外方に向けて折り返すことにより形成されている。弾性部材２８ａは、着用者の排泄部に当接する部位２０ａの左右両側に位置する防漏壁２８に配されている。防漏壁２８は、前方部及び後方部において、前方部の固定部２８ｂ（図３参照）及び後方部の固定部２８ｃ（図３参照）で表面シート２２に固定されており、左右一対のギャザーを形成している。弾性部材２８ａの長さは、少なくとも排泄部に当接する部位２０ａに対応する長さである。ここで、固定部２８ｂ、２８ｃは、それぞれ、防漏壁２８を表面シート２２に、通常吸収性物品に用いられる接着剤を用いて又はヒートシール等して固定して形成されている。
【００１１】
また、本実施形態における生理用ナプキン２においては、第２吸収体により、吸収層２１における生理用ナプキンの中央領域に、厚みの厚い嵩高部２１ａが形成されている。嵩高部２１ａは、好ましくは３mm以上、更に好ましくは３〜３０mm、より好ましくは３〜３０mm、最も好ましくは５〜１５mmの厚みを有する。
ここで、厚みは、測定部中央上面に直径１７．８４mm（面積２．５cm2 ）の円盤を置き、荷重５ｇ／cm2 時の厚みをテンシロン（東洋ボールドウィン社製、型式ＲＴＭ−２５）を用いて測定した。なお、評価サンプルは、生理用ナプキンの剥離紙等を取り外した形態で測定し、ズレ止め等の粘着剤には、白色顔料（タルク等）により粘着効果をなくしてもよい。また、厚みの測定は、嵩高部の最頂部（最も厚みの厚い部位）で行う。
【００１２】
そして、側方防漏溝２７ａは、生理用ナプキン２の前方部には２本、後方部には４本設けられている。前方部の側方防漏溝２７ａ、後方部における内方の側方防漏溝２７ａ及び連結防漏溝２７ｂは、それぞれ、第２吸収体の外周、即ち嵩高部２１ａに沿って形成されている。各連結防漏溝２７ｂは、それぞれ半円形状である。
また、各防漏溝は、公知の防漏溝と同様のもので、ヒートシール等により、線状に形成されたものであり、表面シート２２及びパルプ集合体を防漏層２４付近まで凹状に押し込んで形成されている。
なお、本実施形態における前方部は、着用時に着用者の前方に位置する部位で、本実施形態では着用時に着用者の排泄部に当接する部分を含む。また、後方部とは、着用時に着用者の後方に位置する部分であり、本実施形態では、排泄部に当接する部分よりも後端縁よりに位置する部分である。なお、前方部及び後方部は、便宜上用いている語であり、使用形態等を限定するものではない。
【００１３】
本実施形態において、折曲部４は、３箇所であり、中央に位置する１箇所の折曲部４ａは、嵩高部２１ａを横切るように設けられている。また、両端部側に位置する他の２箇所の折曲部４ｂは、それぞれ、連結防漏溝２７ｂに重なっている。そして、いずれの折曲部４も、弾性部材２８ａの存在しない部位に形成されている。
なお、本明細書において「連結防漏溝に重なる」とは、連結防漏溝と一部で重なっていればよく、本実施形態においては、半円形状の連結防漏溝の頂点（最も吸収性物品の最外方に位置する部位）において、この頂点における接線方向に向けて重なっている。
そして、本実施形態の生理用ナプキンの個装構造１は、３箇所の折曲部４で折重ねられて４つ折りにされている。そして、左右一対の封止部５で包装材３が封止されていると共に、前端縁部３１も封止されている。また、ファスニングテープ３４は、包装材の外面に粘着されている。
【００１４】
連結防漏溝２７ｂは、吸収体幅の３０％以上にわたって形成されているのが好ましく、防漏溝の接線が長手方向中心線に対して４５°〜９０°の傾きの範囲であるのが好ましい。
また、弾性部材２８ａの長さは、好ましくは３〜３０cm  、更に好ましくは５〜２５cmで、設けられている位置は、生理用ナプキンの長さに応じて任意であるが、生理用ナプキンの前端縁からの距離が好ましくは１〜１０cm、更に好ましくは２〜８cmであり、後端縁からの距離が、好ましくは２〜３０cm、更に好ましくは３〜２５cmであるのが望ましい。
また、折曲部の位置は、折り込み回数等に応じて任意である。
また、本実施形態の生理用ナプキンの個装構造における各構成部材の形成材料は、それぞれ、公知のものを特に制限されずに用いることができる。
【００１５】
本実施形態の生理用ナプキンの個装構造は、通常の個装構造と同様にして、ファスニングテープ３４を引っ張り、個装構造を開封して、生理用ナプキンを取り出し、使用に供することができる。
本実施形態の生理用ナプキンの個装構造は、連結防漏溝に沿って生理用ナプキンが折り曲げられているので、折り込みが容易で、厚さのある生理用ナプキンも、トラブルなく加工でき、しかも、折り加工がきれいにできるため、表面が荒らされず肌触りが良く、また、折りしわが目立ちにくい。また、本発明者らの研究によって、弾性部材のある位置で折り曲げると伸縮力が緩和されてしまい、防漏壁構造が良好に形成されないことが判明したが、本発明では、弾性部材の存在しない位置で折り曲げて折曲部を形成しているので、弾性部材伸縮力の効果が十分に発揮され、防漏壁の構造及び開封時に長手方向断面を取った時に凹構造を良好に形成し、所望のフィット性が発揮される。
特に、本実施形態の嵩高部を有する吸収性物品に対して、上記効果が顕著に発揮される。
【００１６】
本実施形態の生理用ナプキンの個装構造は、図３に示すように、包装材３の上に生理用ナプキン２を載置し、フラップ部２５を吸収層２１の上に折り返し、所定の折曲部４で折重ねて、４つ折りにし、側方縁部３３をヒートシール等により封止して封止部５を形成すると共に前方縁部３１をヒートシール等により封止し、最終にファスニングテープ３４を粘着させする等して製造される。
【００１７】
本実施形態の生理用ナプキンの個装構造は、上述の実施形態に限定されるものではなく、本発明の趣旨を逸脱しない範囲で種々変更可能である。
例えば、折曲部は２箇所にして３つ折り構造としたり、４箇所以上としてもよい。
防漏溝は、前方部及び後方部の何れにおいても２本とすることができる。または３本以上とすることができる。
フラップ部はなくても良い。
【００１８】
【発明の効果】
本発明の吸収性物品の個装構造は、個装構造から取り出した際に吸収性物品の防漏性が低下することがないものである。
【図面の簡単な説明】
【図１】図１は、本発明の吸収性物品の個装構造の好ましい１実施形態を示す斜視図である。
【図２】図２は、図１のＸ−Ｘ断面を生理用ナプキンの断面構造を省略して模式的に示す断面図である。
【図３】図３は、図１に示す吸収性物品の個装構造の展開図である。
【図４】図４は、図３に示す状態から折り畳む態様を示す斜視図である。
【符号の説明】
１    個装構造
２    生理用ナプキン
２１    吸収層
２２    表面シート
２４    防漏層
２５    フラップ
２６    ズレ止め部
２７ａ  側方防漏溝
２７ｂ  連結防漏溝
２８    防漏壁
２８ａ  弾性部材
３    包装材
３１    前端縁部
３２    後端縁部
３３    側方縁部
３４    ファスニングテープ
３５    剥離テープ
４    折曲部
５    封止部
【図１】
0003824452.tif 000002
【図２】
0003824452.tif 000003
【図３】
0003824452.tif 000004
【図４】
0003824452.tif 000005